(57)【要約】【課題】根ずれにより損傷することなく、釣果の向上を図ること。【解決手段】ハリスである芯糸２０を覆う筒状の保護材１００を、モノフィラメントにより円筒状の丸編み地によって形成する。この保護材１００によって芯糸２０が被覆されることによって釣り糸１０が形成されているため、水中において釣り糸１０が岩角６３に拘束された際に、保護材１００において拘束された接触点Ｓは移動せずに、内部の芯糸２０のみが移動自在となる。加えて、保護材１００は、拘束された接触点Ｓを中心に、引っ張る側の部分は伸長し、引っ張る側より遠い部位は、収縮して、好適に芯糸２０を保護する。【選択図】図１０
2011120493.tif 000002
【特許請求の範囲】
【請求項１】
モノフィラメントによる円筒状の丸編み組織からなり、挿入される芯材を保護する、
ことを特徴とする釣り糸用保護材。
【請求項２】
芯糸と、
モノフィラメントによる円筒状の丸編み組織からなり、内部に前記芯糸が挿入される釣り糸用保護材と、
を有する、
ことを特徴とする釣り糸。
【請求項３】
前記芯糸の一端部は主幹部と前記主幹部に連続した環状部とを有し、
前記釣り糸用保護材は、前記環状部を前記主幹部に連続して被覆する、
ことを特徴とする請求項２記載の釣り糸。
【請求項４】
前記釣り糸用保護材は、略透明である、
ことを特徴とする請求項２又は３記載の釣り糸。
【発明の詳細な説明】
【技術分野】
【０００１】
本発明は、釣り糸用保護材及び釣り糸に関する。
【背景技術】
【０００２】
従来、釣り糸におけるハリスやリーダ付近では、海底に有る隆起した岩礁や障害物、又は海底の岩礁で陥没した箇所等とで、根ズレが生じるため、根ズレに耐えるように様々な工夫がなされている。
【０００３】
特に、針がかりの後、魚に海底の岩礁に逃げ込まれる場合、釣り糸は、高い張力下において、魚とのやりとりによって鋭利且つ高密度の岩角などに擦られて摩耗し、損傷して破断することが多かった。
【０００４】
さらに、近年の釣り具の発達によって、軽く高強度のカーボンロッド、強力な巻き上げ力を持った電動リールの普及とともに、同じ太さで有れば、ナイロンハリスの３倍を越える強度と３％以下の破断伸度を持った高強度低伸度のマルチフィラメント合成繊維を組み紐組織に組んだ道糸が海釣りの道糸として一般的に使用されている。
【０００５】
これらの強力な道具によって発生する釣り上げ力の飛躍的な向上により道糸と釣り針との間に使用されるハリスやリーダ（根ズレ保護に用いられる所謂、「瀬ズレリーダ」）においてそれぞれ性能の向上が求められている。
【０００６】
例えば特許文献１では、テーパ状の可撓性を有するチューブに釣り糸を通して、仕掛け付近の釣り糸を防ぐ構成が開示されている。
【０００７】
特許文献１を、大物や磯魚釣りのように重力のある魚を釣る等の過酷な環境で根ズレ対策として用いる場合、チューブの径や厚さを大きくすることで対応することが考えられるが、これにより、その曲げ剛性、捻り剛性は高くなるため、釣り糸の動きを拘束する恐れがある。
【０００８】
また、過酷な環境での根ズレ対策として使用するリーダに、高い張力に耐え、伸びが少ない、耐摩耗性、耐久性の高い太いナイロンモノフィラメントか、金属製ワイヤーを適用することによって、ハリス或いは岩礁との接触の耐久性を確保している。
【先行技術文献】
【特許文献】
【０００９】
【特許文献１】特開２００６−１９７９１３号公報
【発明の概要】
【発明が解決しようとする課題】
【００１０】
リーダに太いナイロンモノフィラメント或いは金属製ワイヤーを用いる場合、これらリーダは、高剛性のため餌の自然な動きを妨げることになり、魚の警戒心を喚起するとともに、魚の口中への吸込も阻害し、釣果は優れないものとなる。
【００１１】
また、従来からリール使用時の釣り竿ガイドや手ばね釣りにおける船端とのこすれによりマルチフィラメントを組み込んだ組み紐による道糸を保護するため、摩擦係数が低くこすれに強いポリアミド系合成繊維樹脂をコーティングする方法が知られている。
【００１２】
しかしながら、近年開発された高強度合成繊維は一般的に化学的に不活性物が多く保護皮膜の接着、つまりコーティングが困難であり、ポリアミド系合成繊維樹脂の皮膜を厚くすると曲げや捻り剛性が上がり柔軟さが失われる恐れがあった。
【００１３】
本発明はかかる点に鑑みてなされたものであり、根ズレにより損傷することなく、釣果の向上を図ることができる釣り糸用保護材及び釣り糸を提供することを目的とする。
【課題を解決するための手段】
【００１４】
本発明の一つの態様は、モノフィラメントによる円筒状の丸編み組織からなり、挿入される芯材を保護する構成を採る。
【００１５】
本発明の一つの態様は、芯糸と、モノフィラメントによる円筒状の丸編み組織からなり、内部に前記芯糸が挿入される釣り糸用保護材とを有する構成を採る。
【発明の効果】
【００１６】
本発明によれば、根ズレにより損傷することなく、釣果の向上を図ることができる。
【図面の簡単な説明】
【００１７】
【図１】本発明の一実施の形態に係る釣り糸用保護材を備える釣り糸を示す図
【図２】本発明の一実施の形態に係る釣り糸用保護材の上面図
【図３】本発明の一実施の形態に係る釣り糸用保護材の側面図
【図４】本発明の一実施の形態に係る釣り糸用保護材を備える釣り糸の作成方法を示す図
【図５】本発明の一実施の形態に係る釣り糸用保護材を備える釣り糸の結節部を示す図
【図６】本発明の一実施の形態に係る釣り糸における目穴の作成方法を示す図
【図７】本発明の一実施の形態に係る釣り糸における目穴の作成方法を示す図
【図８】本発明の一実施の形態に係る釣り糸における目穴の作成方法を示す図
【図９】本発明の一実施の形態に係る釣り糸の動作を示す図
【図１０】本発明の一実施の形態に係る釣り糸の動作を示す図
【図１１】保護材の類似組織を示す図
【図１２】保護材の類似組織を示す図
【図１３】保護材の類似組織を示す図
【発明を実施するための形態】
【００１８】
以下、本発明の実施の形態について、図面を参照して詳細に説明する。
【００１９】
図１は、本発明の一実施の形態に係る釣り糸用保護材１００を備える釣り糸１０を示す図である。
【００２０】
図１に示す釣り糸１０は、芯糸２０と、芯糸２０を被覆する筒状の釣り糸用保護材（以下、「保護材」ともいう）１００とを備える。
【００２１】
芯糸２０は、一端部に釣り針が結合されたハリス、又は、道糸である。芯糸２０の直径は、例えば、０より大きく２ｍｍ以下であることが望ましいがこれに限らない。芯糸２０は、直径４ｍｍの保護材１００より被覆された直径２ｍｍの道糸として構成されている。例えば、ポリアミド系合成繊維、ポリフッ化ビリニデン（Poly Vinylidene DiFluoride;ＰＶＤＦ）、又は、ポリ乳酸（Polylactide：ＰＬＡ）等を材料としたモノフィラメント（Monofilament）により構成されてもよく、小径の組み紐、合成繊維ロープ、小径の金属製小径ストランドロープ(Stranded Rope)等により構成されてもよい。
【００２２】
このように構成された芯糸２０は、保護材１００内に挿入されることによって保護材１００に保護されている。
【００２３】
図２は、本発明の一実施の形態に係る釣り糸用保護材（保護材）の上面図であり、図３は、同保護材の側面図である。
【００２４】
図１〜図３に示す保護材１００は、モノフィラメントを編み立てることによって形成された中空部１０５を有する円筒状の丸編み地（丸編み組織：Circular Knitting）であり、芯糸２０の外周に、芯糸２０の延在方向に沿って配置されている。保護材１００となるモノフィラメントは、水中で透明度が高く、且つ、平滑性のよい融点１００℃以上の熱可塑性プラスチックを一つのノズル穴を介して押出成形することによって一本の円柱状繊維として形成される。保護材１００を構成するモノフィラメントは、熱可塑性プラスチックとして、ポリアミド系合成繊維、ポリフッ化ビリニデン（ＰＶＤＦ）を主とするがポリ乳酸（ＰＬＡ）、ポリエチレン（Polyethylene）、ポリプロピレン（Polypropylene：ＰＰ）等を用いてもよい。
【００２５】
また、モノフィラメントとなる熱可塑性プラスチックは、融点１００℃以上であれば、
水中で烈しい摩擦により摩擦熱が発生する場合でも、水の蒸発によって大量に熱が奪われ、１００℃以下に温度が抑えられることになり、発生する摩擦熱に耐えることがきる。なお、熱可塑プラスチックの融点が１００℃以下であれば、１００℃までに溶けてしまい芯糸２０を保護できない。
【００２６】
保護材１００は、ここでは、水中で透明度が高いモノフィラメントにより構成されるものとしたが、有色であってもよく、深海での釣りに用いられる場合、あるいは芯糸２０が結節される道糸が黒い場合、黒色にしてもよい。
【００２７】
モノフィラメント編み目でできた保護材１００は、編み地長さに対し５倍から６倍長さの糸量が使用され厚みと質量を持ち、魚の歯、鯉蓋や岩角表面の突起と、釣り糸との間隔を確保して、芯糸２０と突起とがこすれることを防止する。つまり、芯糸２０と岩角、岩礁と横ずれ、縦ずれなどの接触である根ズレを防止する。
【００２８】
保護材１００自身は伸縮自在であり、且つ、軸心を中心に、芯糸２０の周囲を回転自由な組織であるため、一部に集中した損傷を受けにくい。ここでは、保護材１００は、針掛かりした魚の歯、鰓蓋等が接触する釣り針付近の釣り糸（例えば、ハリス）部分を保護する。さらに、保護材１００は、針掛かりした魚が逃げ回ることによって生じる岩との横ずれによる擦過される部分、或いは、縦方向の引きにより岩に引きずられる部分、具体的には、釣り針から２ｍ近い長さまで釣り糸全体を保護することが望ましい。
【００２９】
保護材１００は、モノフィラメントを、微少な力で大きな変形が得られる繊維組織である丸編みして形成されているため、伸び、縮み曲げ、ネジリすべての外力に対して柔軟な円筒状被覆層となっている。
【００３０】
すなわち、保護材１００は、内部に挿入された芯糸２０の周囲において、芯糸２０の屈曲・回転を妨げない柔軟な丸編み地の被覆層となっている。これにより、保護材１００により保護される芯糸２０がハリスである場合、釣り針につけた餌が水中で漂う動きを妨げることがなく、魚に警戒心を起こさせることがない。また、釣り針に生き餌をつけた場合でも、生き餌の泳ぎを妨げることがないため、生き餌が疲れず、自然な泳ぎをさせることができ、魚の食いつきをよくすることができる。さらに、芯糸２０にルアーをつけて釣りを行う場合でも、保護材１００によってルアーの動きを妨げることがないため、芯糸２０を保護しつつ、ルアーを操作性の高い状態で使用することができる。
【００３１】
また、保護材１００によって保護される芯糸２０は、保護材１００によって保護されない場合と比較して、小径の釣り糸を用いることができ、釣り針に付けられる餌に、より自然な動きをさせることができる。
【００３２】
さらに、保護材１００は、水中において透明度の高いモノフィラメントを丸編み組織で編むことにより形成されているため、透明度が良く、乱反射も少ない組織によって視認しづらい被覆層となる。これにより、釣り針２０に結合するハリスの保護に使用する場合、魚に警戒心を起こさせることがない。例えば、保護材１００は、金具との結合部保護のため部分的に使用する場合でも、フグなど好奇心の高い魚の興味を引くことが無く、魚が嗜むことによる損傷を防止できる。
【００３３】
ここで、釣り糸１０の作成方法について説明する。
【００３４】
保護材１００の構成に際し、透明性が高く、且つ、平滑性に優れる融点１００℃以上の熱可塑性プラスチックを材料としたモノフィラメントを用いる。
【００３５】
保護材１００は、シリンダの外周に４本から１２本のベラ針（Latch needle）を装着した丸編み機（Circular Knitting Machine）を用いて、モノフィラメントにより形成される平編み組織を連続させて円筒状丸編み地とする。
【００３６】
モノフィラメントで形成された円筒状丸編み地には、熱可塑性プラスチックの融点以下の温度で熱セットが行われる。これにより、モノフィラメントの編み立て時において、屈曲させるモノフィラメントの変形に対して発生する残留応力が除去される。具体的には、円筒状丸編み地を加熱することによって、モノフィラメントの分子運動が活発化し、残留応力を解消するように変形する。これにより編み目の形態が固定化される。よって、残留応力によって発生する編み目の型くずれ或いは捻り等を防止することができ、編み地全体が型くずれすることがなく、編み目の形態が安定した円筒状丸編み地となる。
【００３７】
編み目の形態が安定したモノフィラメントの円筒体を、被覆する釣り糸の長さに応じた所定の長さに切断して製造される。
【００３８】
ここでは、モノフィラメントを編み立てることによって保護材１００を形成する際に、円筒状に編み立てられるモノフィラメントの丸編み地の芯に、芯糸２０、或いは釣り糸導入用の糸条を挿入する。
【００３９】
図４は、本発明の一実施の形態に係る釣り糸用保護材を備える保護材付釣り糸の作成方法を示す図である。
【００４０】
図４に示すように、保護材１００に芯糸２０を挿入する場合、例えば、芯糸２０に結合されたスプライス用のメリヤスベラ針３０を、保護材１００となる丸編み地の内部に挿入する。
【００４１】
保護材１００であるモノフィラメントによる丸編み地は、長手方向に収縮することによって編み地の径が拡張する特性を有する。よって、スプライス用のメリヤスベラ針３０を挿入する際には、保護材１００の芯穴が拡径し、メリヤスベラ針３０或いは導入用の糸条を挿入しやすくなる。
【００４２】
ここでは、メリヤスベラ針３０の針長の３倍近くの編み地を、図示しないスプライスニードルに縮めて被せた状態にする。この状態の編み地に対して、芯糸２０をメリヤスベラ針３０のフック３１にかけて、編み地内に引き込む。
【００４３】
これにより、引き込まれる芯糸２０或いは導入用の糸条と同寸法の保護層が形成される。この動作を繰り返すことによって、芯糸２０に対して長尺の被覆を行うことができる。なお、保護材１００を編む際に、芯材を入れておき、この芯材を芯糸の導入糸とすることができる。
【００４４】
このように保護材１００は、スプライスニードルを使用して芯糸２０を容易に挿入できる長尺の円筒状被覆層となる繊維組織であるため、芯糸２０を容易に挿入して、芯糸２０を被覆することができる。
【００４５】
また、保護材１００は丸編み地であるため、切断端では一本の繊維が解れるだけである。このため、保護材１００の中空の芯穴を明瞭に判別することができ、スプライスニードルを容易に挿入できる。
【００４６】
これにより、自由な長さの釣り糸に、本実施の形態の保護材１００を簡便に被せることができる。芯入りの場合は、編み立て時に挿入した導入糸に釣り糸を結びつけて結節端とし、この結節端と反対の導入糸端を引っ張ることによって編み地から成る保護材の芯に釣り糸を容易に引き込める。
【００４７】
図５は、本発明の一実施の形態に係る釣り糸用保護材１００を備える保護材付釣り糸の結節部を示す図である。なお、図５に示す釣り糸１０は、保護材１００の内部に、芯糸として組紐（以下、芯糸２０Ａと称する）を挿入することによって形成されており、この釣り糸１０を結ぶことにより形成される結節部１２０では、保護材１００の形状の図示を省略している。
【００４８】
図５に示すように、保護材１００付きの芯糸２０Ａを用いて結節部１２０を形成する場合、保護材１００は、芯糸２０Ａの表面に位置するモノフィラメントの厚み分だけ太くなることにより引っ掛けや結ぶ部分の曲げ半径が大きくなる。このため、結節部１２０における結節強力（結節部分（結び目）を形成する引っ張られた際の荷重に耐える強さ）が向上する。
【００４９】
さらに、モノフィラメントの丸編み組織である保護材１００は、軸線方向へ伸長自在であり、且つ、ネジリ抵抗も発生しないため、結節部１２０において、組紐である芯糸２０Ａの複雑な絡み形状に追従自在である。
【００５０】
また、保護材１００は伸長することによって外径が収縮する。このため、結節部１２０は、釣り糸１０自体の引っ張り、締め込み（締め方）による芯糸２０Ａの外径の収縮に追従して、結節の形成に作用する力が十分に伝達され、締め固められた結び目となる。これにより、弛みや糸ずれを起こさず結節部分が強力となり、解け難く、結節部１２０としての信頼性を向上させる。
【００５１】
さらに、保護材１００の伸長に伴って、保護材１００を構成する丸編み目の荒い空間は狭められて芯糸２０Ａの表面を隙間無く覆うことになり、素材のモノフィラメントが結節時に引き延ばされたり、芯糸２０Ａより受ける大きな接触圧を受けたりしても、損傷することがなく緩和して芯糸２０Ａを保護することができる。
【００５２】
特に、釣り糸が、高強度で伸びのないアラミド繊維やポリアリレート繊維、高強度ポリエチレンで形成される高強度糸材の場合、直線強力（直線方向で引っ張られ、その荷重で切れるまでの強さ）に対して結節強力が４０％程度で低い。高強度糸材は、小径の細い線材として形成されるが、細い糸の割に強力な張力で使用されるため、釣り糸として用いて釣り糸の結節を構成する場合、従来の釣り糸と比較して小さな結節空間内に大きな剪断力や高い摩擦力が発生する。
【００５３】
釣り仕掛けにおいては、結合金具や釣り糸同士の複雑な結節が存在するため、その高強度、低伸度な特性を生かし切れなかった。
【００５４】
これに対して、釣り糸１０では、保護材１００によって、結節強力が向上し、結節部（結び目）の信頼性を向上させて大物釣り釣果の向上を図ることができる。
【００５５】
また、釣り糸１０では、より細いリーダを用いた仕掛けを作成できるため、道糸も従来と比較して細くすることができ、高価な釣り糸コストを低減できる。さらに、道糸が細くなることによって道糸自体のリール巻き長を増加できるため、使用するリール径を小さくでき、釣り道具自体のコストの低廉化を図ることができる。
【００５６】
また、保護材１００内に挿入される芯糸２０Ａが組み紐ロープ製ハリス（組み紐ハリス）である場合、保護材１００の編み目に差し込んだスプラインニードルによってハリス端末に、保護材１００によって被覆された組み紐ハリスの主幹に、保護材１００が連続する目穴（アイ）を形成できる。
【００５７】
図６は、端部に目穴が形成された釣り糸１０を示す図である。
【００５８】
図６に示す釣り糸１０は、端部に目穴１４を備える。
【００５９】
目穴１４は、釣り糸１０において、目穴１４に連続する線状部分（ハリス主幹部）１５に連続して、ハリスを保護材１００が被覆した状態で形成されている。
【００６０】
具体的には、環状の芯組み紐（芯糸２０）を被覆する環状の保護材１００の端末１００ａが、線状部分に、積巻き部１６によって巻き止められている。これにより、保護材１００と、芯糸２０とは釣り糸１０の端部で固定され、釣り糸１０において根ズレが発生する部位では、保護材１００は芯糸２０の周囲で長手方向に移動自在となっている。
【００６１】
このように目穴１４を構成する釣り糸１０の端末を折り返して、釣り糸１０における保護材１００の編目（第１貫通孔１０１、第２貫通孔１０２及び引出孔１０３）を通して、内部の芯糸２０を、組紐である芯糸２０自身の中心に、適宜の長さ分、組紐である芯糸２０の組目を通して引き込むことにより形成されている。このように、目穴１４は、釣り糸１０において、芯糸２０が丸編み地である保護材１００によって被覆された状態で、結節部分を必要とすることなく形成されている。
【００６２】
図７及び図８は、図６の釣り糸１０における目穴の作成方法を示す図である。
【００６３】
図７に示すように、スプライスニードル４０の先端に形成されたベラ針４１を、保護材１００の編目（第１貫通孔）１０１を貫通させるとともに、組紐である芯糸２０の組織の組目（組目部２１）を貫通させて、組紐である芯糸２０の中心中空部分に所定の長さ分、挿通させる。
【００６４】
次いで、スプライスニードル４０を芯糸２０に所定の長さ（ここでは長さＬ）通した後で、再びベラ針４１の頭部を組紐である芯糸２０と保護材１００とを貫通させて外部に露出させる。ここでは、ベラ針４１の頭部を芯糸２０及び保護材１００の第２貫通孔１０２、２２から露出させている。
【００６５】
一方、保護材１００の端末１００ａにおいて引出孔１０３から内部の芯糸２０を外に引き出して、ベラ針４１のフック４２に掛止する。ここでは、引出孔１０３は、目穴１４の形成に必要な寸法位置に形成され、この引出孔１０３から引き出される芯糸２０は、保護材１００からベラ針長さ＋２０ｍｍ引き出される。
【００６６】
この引き出した芯糸２０の端末２０ａをベラ針４１のフック４２に掛止した状態で、スプライスニードル４０を第１貫通孔１０１及び組目部２１から、挿入方向と逆方向（Ｂ方向）に引き、芯糸２０の端末２０ａを、芯糸２０である組紐の中心に引き込むことによって目穴１４が形成される。なお、第１貫通孔１０１及び組目部２１から外部に導出される芯糸２０の端末２０ａの一部は、接着材などにより保護材１００に接着される。
【００６７】
すなわち、スプライスニードル４０をＢ方向に引く（図７参照）ことによって、保護材１００の第２貫通孔１０２と引出孔１０３が合致する。この後、第２貫通孔１０２と引出孔１０３との合致部分から延び出る端末１００ａの余剰部分を、第２貫通孔１０２から所定長（例えば、２０ｍｍ程度の位置）で切断する。端末１００ａにおける切断後の所定長の余剰部分は、線状部分であるハリス主幹１０に沿うように配置され、別糸を積巻きしてなる積巻き部１６によって固定される。
【００６８】
この目穴１４に大きな張力がかかると、目穴１４において、組紐である芯糸２０において左右回りに螺旋に配置され、芯糸２０を形成する組み糸は、張力によって螺旋長さが伸長されると同時に、螺旋半径が減少する。これにより、芯糸２０自身の組紐の中心に引き込まれた芯糸２０の端末２０ａは、大きな圧縮力を受けて発生した摩擦力によって、芯糸２０自身の組紐内でずれること無く固定される。つまり、従来と異なり、大きな結び瘤を形成することなく目穴１４を形成できることとなり、大きな結び瘤を形成した場合の局部的な応力が発生しない。よって、組み紐ハリスの強度を減少させることなく、さらに、大きな結び瘤を形成することなく目穴１４を有する釣り糸１０を作成できる。
【００６９】
また、保護材１００はハリス主幹１５と目穴部分１４が連続して保護されているため、保護材１００の端末処理部が一ヶ所の積巻きで完了できる。これにより、芯糸（ハリス）の強度を１００％発揮され、仕掛けの沈降速度を落とさず、糸がらみの原因となる不要な突起部がない滑らかな形状の目穴１４を得ることができる。
【００７０】
このように構成された釣り糸１０では、滑り摩擦の少ないモノフィラメント編み日でできた伸縮自在な円筒状の保護材１００内に、ハリス又は道糸等の芯糸２０が締め付けられずに通されている。これにより、保護材１００は、岩角等との接触折り曲げによる摩擦抵抗に対する芯糸２０の保護と、芯糸２０の滑り面を形成する。
【００７１】
図９は、本発明の一実施の形態に係る釣り糸の動作を示す図である。
【００７２】
図９（ａ）に示す釣り糸１０は、一端部１０ａに形成された目穴１４に釣り針５１が結合され、他端部１０ｂ側で保護材１００とハリスである芯糸２０とを積巻き（積巻き部１６）により固定している。
【００７３】
すなわち、釣り糸１０は、芯糸２０に被せた保護材１００の一端を芯糸２０とともに（図６〜８参照）釣り針５１に固定し、反対端を芯糸２０とともに積巻き糸で巻き締め固定した状態（積巻部１６）となっている。
【００７４】
図９（ａ）に示すように、釣り糸１０において中央部分の保護材１００が岩角などの拘束部６１によって加圧拘束または、鋭角の角に押し付けられて拘束される場合がある。
【００７５】
このとき、釣り糸１０では、保護材１００の内面は滑りやすく、且つ、保護材１００において拘束部６１を中心とした左右の部位は、伸長が３０％〜４０％、収縮が３０％〜４０％以上可能であるため、保護材１００内の芯糸２０は平滑な保護材１００内面で滑り動くことができる。
【００７６】
図９（ｂ）では、釣り糸１０が、拘束部６１により中央部分が拘束された状態（図９（ａ）参照）において、かかった魚によって釣り針５１が引っ張られる（矢印Ｃ）場合を示す。この場合、保護材１００では、拘束部６１により拘束される中央部分を中心として左側（ここでは釣り針５１が結合された一端部側）の保護材１００ｃは伸長し、右側（積巻き部１６側）の保護材１００ｄは収縮する。このとき保護材１００の内部では、ハリスは、矢印Ｃ方向に円滑に移動する。
【００７７】
図９（ｃ）では、釣り糸１０が、拘束部６１により中央部分が拘束された状態（図９（ａ）参照）において、ハリスが矢印Ｄ方向に引かれる場合を示す。この場合、保護層１００では、拘束部６１により拘束される中央部分を中心として左側（ここでは釣り針５１が結合された一端部側）の保護材１００ｃは収縮し、右側（積巻き部１６側）の保護材１００ｄは伸長する。このとき保護材１００の内部では、ハリスは、矢印Ｄ方向に円滑に移動する。
【００７８】
釣り糸１０を具体的に使用した例を示す。
【００７９】
図１０は、本発明の一実施の形態に係る釣り糸の動作を示す図であり、釣り糸に結合された釣り針に実際に魚がかかった状態を示す。なお、図１０に示す釣り糸１０は、両端部に目穴が形成されているが、これに限らず、一端側のみに釣り針を取り付ける目穴が形成され、他端部側には、保護材１００と芯糸２０とを結合する積巻き部を設けた構成としてもよい。
【００８０】
図１０（ａ）に示す釣り糸１０は、一端部１０ａで魚が掛かり、途中の保護材１００で岩角６３と接触し、折り曲げ抵抗によって拘束されている。
【００８１】
図１０（ｂ）は、図１０（ａ）に示す状態において、釣り糸１０が、魚が岩の根や穴に逃げ込む等することによって一端側（矢印Ｃ方向）に引かれる場合を示し、図１０（ｃ）は、図１０（ａ）に示す状態において釣り糸１０が釣り人に引かれる場合を示す。
【００８２】
図１０（ｂ）及び図１０（ｃ）に示すように岩角６３における折り曲げ抵抗で拘束された状態で、両端側のそれぞれ側に引かれる場合でも、モノフィラメント編み目でできた伸縮が大きく、且つ、すべり抵抗の低い保護材１００内部で、芯糸２０は自由に動くことができる。よって、図１０（ｂ）に示すように、釣り糸１０に魚が掛かり、魚が仕掛けを引いても芯糸２０が動き、保護材１００と岩角６３との接触点Ｓは動かず、保護材１００では、魚の引きによって鋭い岩角６３に引きずられることによる損傷は起こらない。逆に、図１０（ｃ）に示すように、魚を引き揚げる場合、ハリス（芯糸２０）が滑りのいい保護材１００によって岩角６３と隔離されているので、魚を引き揚げる力（Ｄ方向の力）は常に魚体に伝えられる。図１０（ｂ）では、岩角６３よりも上側の保護材１００は内部の芯糸２０が魚に引かれることによって収縮しており、下側の保護材１００は伸長している。図１０（ｃ）では、岩角６３よりも上側の保護材１００は内部の芯糸２０が釣り人に引かれることによって伸長しており、下側の保護材１００は収縮している。
【００８３】
特に、岩磯における大物釣りにおいて、針がかりした後、魚が穴や岩陰に逃げ込むと、岩陰を形成する岩角等との摩擦力によって魚を引き上げることができず、やりとりしている間に釣り糸１０に損傷が生じれば、ハリス切れによって魚を逃がしてしまうことになる。
【００８４】
釣り糸１０によれば、保護材１００の編み目の穴を通して海水が保護材１００内部に充満する。このため、岩角６３（図１０参照）との接触部において芯糸２０であるハリスと、保護材１００との間で摩擦が発生しても、液体（海水）による潤滑とともに、伝熱および、蒸発による摩擦熱の除去を行うことができ、芯糸２０や、保護材１００を溶融や熱損傷から保護できる。よって、釣り糸１０では、保護材１００が芯糸２０の根ズレを防止して、釣り糸１０を用いた釣果の向上を図ることができる。
【００８５】
従来では、高強度低伸度が特徴の釣り糸のうちポリエチレンを素材とする物は、道糸からハリスまで広く使われているが、１１５℃以下という低融点が欠点であった。本発明による保護材１００によって、従来の釣り糸よりも苛酷な使用状況に対応できる。また、１８０℃から２１０℃が融点のナイロンモノフィラメント保護材の溶融も起こることがなく、溶融によるハリス切れを防止できる。
【００８６】
ここで、図１１〜図１３を用いて、保護材１００を丸編み地の類似組織により形成した場合について説明する。
【００８７】
図１１は、保護材を小径縦編み地１とした場合の編み目を示し、図１２は、丸組紐により形成された組織２を示し、図１３は、小径円筒織物３を示す。
【００８８】
図１１の小径縦編み地１は、６〜８本の糸条がそれぞれ円筒組織の軸線に対してジグザグに編み込まれ、且つ、隣同士の糸条が直線的な縦編み目を有する。
【００８９】
図１２の丸組紐２は、複数の糸条が円筒組織の軸線に対し右巻きコイル、左巻きコイル状に同じ本数ずつ配置され、それぞれの糸条同士を交差させてなる組目を有する。また、図１３の小径円筒織物３は、複数の糸条が円筒組織の軸線に対して平行に直線のまま経て糸として配置され、且つ、軸線に対してコイル状に配置される緯糸を交差させて形成される織り目を備える。
【００９０】
図１１の小径縦編み地１は、丸編みに比べて糸条の交錯点が多く交錯点における糸条の曲げも１８０℃の折り返しであるため、乱反射が大きく、かつ平行に近い糸条の重なりがあるため透明度は低くなる。
【００９１】
さらに、柔軟な保護層を作る糸層の働きは丸編みと変わらないが、たて編みの網目は軸線方向に伸びにくく、結節時において芯糸の動きに追従しにくい。このため結節の締め込みが阻害され、本実施の形態の保護材１００と比較して、強固な結び目（結節部）を作成できない。さらに、小径縦編み地１は、軸線方向の伸びが少ないため、丸編み組織に比べ芯の釣り糸が自由に滑ることができない。したがって、岩角において折り曲げられた状況において、針に掛かった魚によって芯糸が根の方向に引かれると小径縦編み地１の保護層も引きずられて損傷する可能性がある。
【００９２】
図１２の丸組紐２は、糸の本数は交差目のため、糸の本数が比較的少なくても組目の安定した芯糸の保護層として機能するが、中空状にするために、１２本から３２本の組み糸を要するとともに、目開きが小さいため、透明度が低くなる。
【００９３】
丸組紐２は、曲げに対して柔軟な保護層を形成できるが、その構造上、伸びやねじりには抵抗がある。組日は芯が挿入される場合、軸線方向に伸びにくく、結節時芯糸の伸び、ねじれに追従しない。このため結節の締め込みが阻害され強固な結び目は作成できない。
【００９４】
さらに、丸組紐２では、繊維が軸線に左右スパイラルで配置されているため、引っ張られるとスパイラルの径が縮み芯を強く締め付けることになる。これにより、保護層と釣り糸が一体の剛直な構造となり芯は滑ることができず、針に掛かった魚が根の方向に仕掛けを引くと岩角に接触する際に、岩角で保護層が引きずられて損傷を受ける。
【００９５】
図１３の小径円筒織物３では、経糸３ａが外周に隙間無く並び、円周方向に回る緯糸３ｂと多数の交錯点が形成されている。経糸３ａの本数は他の組織と比べて多くしないと安定した織り目が形成できないため、経糸３ａは必然的に多くなり、保護材１００の丸編みと比較して、透明度は低くなる。
【００９６】
小径円筒織物３は、円筒状の保護層を形成できるが、織目は軸線方向にも円周方向にも伸びにくく、曲げ、伸び、ねじりいずれも拘束されて柔軟な保護層にならず結節時において芯糸の動きに追従しない。このため、結節の締め込みが阻害されることになり、本実施の形態の釣り糸１０と異なり、強固な結び目を作ることができない。
【００９７】
さらに、小径円筒織物３は、被覆層軸線方向の伸縮しないため、芯のラインが滑ることができない。岩角において折り曲げられた状況で、掛かった魚によって根の方向に引かれると被覆層も引きずられ、被覆層の損傷が起こる。経て糸より細い横糸が切断されると組織されていた繊維が解ける。
【００９８】
また、小径円筒織物３では、経て糸がスパイラルに回る緯糸に締め付けられた構造のため、組織に遊びが無く、スプライスニードルを通しづらい。また、縦方向に曲げにくい組織であるため目穴の形状が作りにくい。
【００９９】
これに対して、本実施の形態の釣り糸１０は、モノフィラメントを材として丸編み組織小径円筒状に編んだ編み地により成る保護材１００を芯糸に被せて構成される。これにより、小径縦編み地１、丸組紐２、小径円筒織物３のいずれの不具合を解消できる。特に、釣り糸にかかった魚が逃げようとする結果、釣り糸に起こる様々な障害から保護するとともに、釣り仕掛け構成に必要な結節においては、保護材１００が保護緩衝材となることによって強度低下を防止できる。ハリスに用いることによって、釣り針に付けられた餌の自然な動きを妨げることなく、魚の警戒心を喚起しない。これにより、大物や、磯魚の漁獲向上、つまり釣果の向上を図ることができる。
【０１００】
本発明に係る釣り糸用保護材及び釣り糸は、モノフィラメントを丸編みしてなる筒状をなし内部に芯糸が挿入される釣り糸用保護材であり、これを備える釣り糸であれば、上記実施の形態に限定されず、種々変更して実施することが可能である。
【産業上の利用可能性】
【０１０１】
本発明に係る釣り糸用保護材及び釣り糸は、根ズレにより損傷することなく、釣果の向上を図ることができる効果を有し、釣り糸として有用である。
【符号の説明】
【０１０２】
１０  釣り糸
２０  芯糸
１００  保護材
【図１】
2011120493.tif 000003
【図２】
2011120493.tif 000004
【図３】
2011120493.tif 000005
【図４】
2011120493.tif 000006
【図５】
2011120493.tif 000007
【図６】
2011120493.tif 000008
【図７】
2011120493.tif 000009
【図８】
2011120493.tif 000010
【図９】
2011120493.tif 000011
【図１０】
2011120493.tif 000012
【図１１】
2011120493.tif 000013
【図１２】
2011120493.tif 000014
【図１３】
2011120493.tif 000015